【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
各種スイッチを有する操作設定手段と、所定の負荷に電力を供給する電源装置と、前記電源装置を制御する制御手段とを備えた画像形成装置であって、
前記電源装置は、発振を行いスイッチングして出力を安定化させるスイッチング電源を有し、
前記制御手段は、少なくとも前記操作設定手段のスイッチが所定時間操作されない場合に、前記スイッチング電源の発振動作を停止させるための発振停止指令信号を前記電源装置に送って節電モードに移行し、所定の節電対象負荷への電力供給を休止させると共に、節電モードが解除されると解除指令信号を前記電源装置に送って前記スイッチング電源の発振動作を開始させ、電力を供給することを特徴とする画像形成装置。
【請求項２】
各種スイッチを有する操作設定手段と、少なくとも電動機を含む所定の負荷に電力を供給する電源装置と、前記電源装置を制御する制御手段と、当該画像形成装置本体を保持する扉付きの筐体と、前記扉の開閉状態を検知する扉開閉検知手段とを備え、前記扉が開放された場合に前記負荷のうちの所定の電動機を含むインターロック系負荷への電力供給を遮断し、かつ、電力供給を休止する画像形成装置であって、
前記制御手段は、前記扉が開放された場合に前記インターロック系負荷への電力供給を休止させる休止指令信号を前記電源装置に送って扉開放モードに移行すると共に、前記扉が閉鎖状態に戻されると解除指令信号を前記電源装置に送って電力供給を再開させ、
少なくとも前記操作設定手段のスイッチが所定時間操作されない場合に前記インターロック系負荷への電力供給を休止させる休止指令信号を前記電源装置に送って節電モードに移行すると共に、節電モードが解除されると解除指令信号を前記電源装置に送って電力供給を開始させることを特徴とする画像形成装置。
【請求項３】
前記電源装置は、発振を行いスイッチングして出力を安定化させるスイッチング電源を有し、
前記制御手段は、扉開放モードまたは節電モードに移行する際には、前記スイッチング電源の発振動作を停止させるための発振停止指令信号を前記電源装置に送ると共に、扉開放モードまたは節電モードが解除されると解除指令信号を前記電源装置に送って前記スイッチング電源の発振動作を開始させることを特徴とする請求項２記載の画像形成装置。
【請求項４】
前記制御手段は前記電源装置の出力状態を検知するための検知部を有すると共に、前記操作設定手段は少なくとも当該画像形成装置本体の状態を表示する表示部を有し、
前記制御手段は、節電モードが解除された後、前記検知部において前記電源装置の出力が所定の値まで立ち上がったことが検知されてから、前記表示部に節電モードが解除され動作可能状態となった旨の表示をさせることを特徴とする請求項２または３記載の画像形成装置。
【請求項５】
前記制御手段は、節電モード時には、前記表示部に節電モードである旨の表示だけを行わせることを特徴とする請求項２から４のうちのいずれか１項に記載の画像形成装置。
【請求項６】
前記制御手段は、節電モード時に前記扉が開放された際には、節電モード解除後に、前記表示部に扉開状態表示を含む異常状態表示を行わせることを特徴とする請求項５記載の画像形成装置。
【手続補正２】
【補正対象書類名】明細書
【補正対象項目名】００１０
【補正方法】変更
【補正の内容】
【００１０】
【課題を解決するための手段】


【手続補正３】
【補正対象書類名】明細書
【補正対象項目名】００１１
【補正方法】変更
【補正の内容】
【００１１】
上記課題を解決するために、請求項１記載の発明は、各種スイッチを有する操作設定手段と、所定の負荷に電力を供給する電源装置と、前記電源装置を制御する制御手段とを備えた画像形成装置であって、前記電源装置は、発振を行いスイッチングして出力を安定化させるスイッチング電源を有し、前記制御手段は、少なくとも前記操作設定手段のスイッチが所定時間操作されない場合に、前記スイッチング電源の発振動作を停止させるための発振停止指令信号を前記電源装置に送って節電モードに移行し、所定の節電対象負荷への電力供給を休止させると共に、節電モードが解除されると解除指令信号を前記電源装置に送って前記スイッチング電源の発振動作を開始させ、電力を供給することを特徴とする。


【手続補正４】
【補正対象書類名】明細書
【補正対象項目名】００１２
【補正方法】変更
【補正の内容】
【００１２】
上記課題を解決するために、請求項２記載の発明は、各種スイッチを有する操作設定手段と、少なくとも電動機を含む所定の負荷に電力を供給する電源装置と、前記電源装置を制御する制御手段と、当該画像形成装置本体を保持する扉付きの筐体と、前記扉の開閉状態を検知する扉開閉検知手段とを備え、前記扉が開放された場合に前記負荷のうちの所定の電動機を含むインターロック系負荷への電力供給を遮断し、かつ、電力供給を休止する画像形成装置であって、前記制御手段は、前記扉が開放された場合に前記インターロック系負荷への電力供給を休止させる休止指令信号を前記電源装置に送って扉開放モードに移行すると共に、前記扉が閉鎖状態に戻されると解除指令信号を前記電源装置に送って電力供給を再開させ、少なくとも前記操作設定手段のスイッチが所定時間操作されない場合に前記インターロック系負荷への電力供給を休止させる休止指令信号を前記電源装置に送って節電モードに移行すると共に、節電モードが解除されると解除指令信号を前記電源装置に送って電力供給を開始させることを特徴とする。


【手続補正５】
【補正対象書類名】明細書
【補正対象項目名】００１３
【補正方法】変更
【補正の内容】
【００１３】
上記課題を解決するために、請求項３記載の発明は、請求項２記載の画像形成装置であって、前記電源装置は、発振を行いスイッチングして出力を安定化させるスイッチング電源を有し、前記制御手段は、扉開放モードまたは節電モードに移行する際には、前記スイッチング電源の発振動作を停止させるための発振停止指令信号を前記電源装置に送ると共に、扉開放モードまたは節電モードが解除されると解除指令信号を前記電源装置に送って前記スイッチング電源の発振動作を開始させることを特徴とする。


【手続補正６】
【補正対象書類名】明細書
【補正対象項目名】００１４
【補正方法】変更
【補正の内容】
【００１４】
上記課題を解決するために、請求項４記載の発明は、請求項２または３記載の画像形成装置であって、前記制御手段は前記電源装置の出力状態を検知するための検知部を有すると共に、前記操作設定手段は少なくとも当該画像形成装置本体の状態を表示する表示部を有し、前記制御手段は、節電モードが解除された後、前記検知部において前記電源装置の出力が所定の値まで立ち上がったことが検知されてから、前記表示部に節電モードが解除され動作可能状態となった旨の表示をさせることを特徴とする。


【手続補正７】
【補正対象書類名】明細書
【補正対象項目名】００１５
【補正方法】変更
【補正の内容】
【００１５】
上記課題を解決するために、請求項５記載の発明は、請求項２から４のうちのいずれか１項に記載の画像形成装置であって、前記制御手段は、節電モード時には、前記表示部に節電モードである旨の表示だけを行わせることを特徴とする。


【手続補正８】
【補正対象書類名】明細書
【補正対象項目名】００１６
【補正方法】変更
【補正の内容】
【００１６】
上記課題を解決するために、請求項６記載の発明は、請求項５記載の画像形成装置であって、前記制御手段は、節電モード時に前記扉が開放された際には、節電モード解除後に、前記表示部に扉開状態表示を含む異常状態表示を行わせることを特徴とする。


【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００６２
【補正方法】変更
【補正の内容】
【００６２】
【発明の効果】
以上説明したように、請求項１記載の発明によれば、節電モード時には、制御手段から電源装置へ発振停止指令信号を送って、スイッチング電源の発振動作を停止させることによって、各種モータ等への電源供給を休止させ、また、解除指令信号を送って発振を開始させることで電源供給を再開させるので、回路開閉直後の電圧変化は比較的穏やかであり、例えば回路閉直後の過大な突入電流の発生を防止することができる。
【手続補正１５】
【補正対象書類名】明細書
【補正対象項目名】００６３
【補正方法】削除
【補正の内容】
【手続補正１６】
【補正対象書類名】明細書
【補正対象項目名】００６７
【補正方法】変更
【補正の内容】
【００６７】
また、請求項２記載の発明によれば、節電モード時に電力供給が休止される負荷と扉開放モード時に電力供給が休止される負荷とは同一であるので、例えば扉開放時に各種モータへの電力供給を休止する機能を有する画像形成装置において、インターロック機能をこのまま流用して、新たな部品を必要とすることなく節電モードの機能を追加することができる。


【手続補正１７】
【補正対象書類名】明細書
【補正対象項目名】００７０
【補正方法】変更
【補正の内容】
【００７０】
また、請求項３記載の発明によれば、節電モード時または扉開放モード時には、制御手段から電源装置へ発振停止指令信号を送って、スイッチング電源の発振動作を停止させることによって、各種モータ等への電源供給を休止させ、また、解除指令信号を送って発振を開始させることで電源供給を再開させるので、回路開閉直後の電圧変化は比較的穏やかであり、例えば回路閉直後の過大な突入電流の発生を防止することができる。


【手続補正１８】
【補正対象書類名】明細書
【補正対象項目名】００７２
【補正方法】変更
【補正の内容】
【００７２】
また、請求項４記載の発明によれば、制御手段は、節電モードが解除された後、検知部において電源装置の出力が所定の値まで立ち上がったことが検知されてから、表示部に節電モードが解除され動作可能状態となった旨の表示をさせるので、動作許可表示時の誤表示を防止することができる。


【手続補正１９】
【補正対象書類名】明細書
【補正対象項目名】００７３
【補正方法】変更
【補正の内容】
【００７３】
また、請求項５記載の発明によれば、節電モード時にはその旨の表示だけなされるので、一段と電力の消費量を低減することができる。


【手続補正２０】
【補正対象書類名】明細書
【補正対象項目名】００７４
【補正方法】変更
【補正の内容】
【００７４】
また、請求項６記載の発明によれば、扉が開放された際に、節電モードでは表示がなされなくても、節電モード解除後には、扉開状態表示を含む異常状態表示がなされるので、使用時には扉開状態を含む異常状態を見逃すことがない。


【手続補正２１】
【補正対象書類名】明細書
【補正対象項目名】００７５
【補正方法】削除
【補正の内容】
【手続補正２２】
【補正対象書類名】明細書
【補正対象項目名】００７６
【補正方法】削除
【補正の内容】
【手続補正２３】
【補正対象書類名】明細書
【補正対象項目名】００７７
【補正方法】削除
【補正の内容】
【手続補正２４】
【補正対象書類名】明細書
【補正対象項目名】００７８
【補正方法】削除
【補正の内容】
【手続補正２５】
【補正対象書類名】明細書
【補正対象項目名】００７９
【補正方法】削除
【補正の内容】
【手続補正２６】
【補正対象書類名】明細書
【補正対象項目名】００８０
【補正方法】削除
【補正の内容】
【手続補正２７】
【補正対象書類名】明細書
【補正対象項目名】００８１
【補正方法】削除
【補正の内容】
【手続補正２８】
【補正対象書類名】明細書
【補正対象項目名】００８２
【補正方法】削除
【補正の内容】